(57)【要約】【課題】検便用採便具における管状部材に収納した培地等がキャップ部材に移動し、その培地等がキャップ部材を管状部材から取り外したときに外部へ漏出するのを防止する。【解決手段】内部に培地若しくは保存液を収納して保持しうる管状部材と、上記管状部材の開口部を開閉しうるように上記管状部材に着脱自在に形成されたキャップ部材と、上記キャップ部材を上記管状部材に嵌着した状態で上記管状部材の内部に挿入すると共に、上記キャップ部材を上記管状部材から取り外した状態で上記管状部材から抜脱しうるように上記キャップ部材に固定された採便棒とを有し、上記キャップ部材を上記管状部材に嵌着した状態で、上記管状部材の開口部を閉じうる閉止部が上記採便棒に設けられた。【選択図】図１
2005156187.tif 000002
【特許請求の範囲】
【請求項１】
一端を開口し、その内部に培地若しくは保存液を収納して保持しうる管状部材と、上記管状部材の開口部を開閉しうるように上記管状部材に着脱自在に形成されたキャップ部材と、上記キャップ部材を上記管状部材に係合した状態で上記管状部材の内部に挿入すると共に、上記キャップ部材を上記管状部材から取り外した状態で上記管状部材から抜脱しうるように上記キャップ部材に固定された採便棒とからなる検便用採便具において、
上記キャップ部材を上記管状部材に係合した状態で、上記管状部材の開口部を閉じうる閉止部が上記採便棒に設けられたことを特徴とする検便用採便具。
【請求項２】
上記閉止部はフランジ部として上記採便棒に一体成形され、上記採便棒を上記管状部材に挿入した状態で、その周縁部を上記管状部材の内面部に密着するように形成されていることを特徴とする請求項１記載の検便用採便具。
【請求項３】
上記閉止部の周縁部は、上記管状部材に対する挿入方向の角部が曲面状に形成され、反挿入方向の角部が鋭角状に形成されていることを特徴とする請求項２記載の検便用採便具。
【請求項４】
上記採便棒は先端に被検査物採取部が設けられると共に、基端部が上記キャップ部材の内部に挿入されて係止されることにより固定されていることを特徴とする請求項１、２又は３記載の検便用採便具。
【請求項５】
上記採便棒及び上記キャップ部材はプラスチックにより成形され、上記採便棒は基端に係止用フランジ部が形成されるとともに、上記キャップ部材は内面部に周方向の突条部が形成され、上記係止用フランジ部は上記採便棒の基端部を上記キャップ部材の内部に押し入れたときに弾性変形により上記突条部を乗り越えて係止されることを特徴とする請求項４記載の検便用採便具。
【請求項６】
上記係止用フランジ部の周縁部は、上記キャップ部材に対する挿入方向の角部が曲面状に形成されると共に、反挿入方向の角部が略直角に形成されていることを特徴とする請求項５記載の検便用採便具。
【請求項７】
上記採便棒は、上記係止用フランジ部と上記閉止部との間に中間フランジ部が設けられ、上記中間フランジ部は、その外周面部を上記キャップ部材の内面部に当接しうるように形成されていることを特徴とする請求項５又は６記載の検便用採便具。
【発明の詳細な説明】
【技術分野】
【０００１】
本発明は、検査する便を採取して、その便をシャーシ中の培地へ塗沫するまでの間に、その便を保管したり、検査場所まで移送するために使用する検便用採便具に係る。
【背景技術】
【０００２】
本出願人は、特許文献１に示すように、一端を開口し、その内部に培地若しくは保存液を収納して保持しうる管状部材と、上記管状部材の開口部を開閉しうるように上記管状部材に着脱自在に形成されたキャップ部材と、上記キャップ部材を上記管状部材に係合した状態で上記管状部材の内部に挿入すると共に、上記キャップ部材を上記管状部材から取り外した状態で上記管状部材から抜脱しうるように上記キャップ部材に固定された採便棒とからなる検便用採便具を発明して、先に出願した。
【０００３】
【特許文献１】特開２００１−２０８７５０号公報
【０００４】
しかしながら、上記の検便用採便具では、管状部材の内部に収納した培地や保存液が流動性を有するので、移送中の振動等によりキャップ部材の内部に入り込むことがあった。そして、そのキャップ部材を管状部材から取り外して管状部材の開口部を開いたときに、そのキャップ部材内部に入り込んだ培地等が外部へ垂れ落ちて、検査者の衣服を汚す等の不具合があった。
【０００５】
また、上記の検便用採便具では、キャップ部材の内部に採便棒を組み付ける場合は、採便棒をキャップに対し機械で圧入することにより固定していた。従って、圧入用機械を備える必要があったので、製造コストが高くなるという問題があった。
【発明の開示】
【発明が解決しようとする課題】
【０００６】
そこで本発明の課題は、上記の不具合を解消すること、即ち、検便用採便具における管状部材に収納した培地等がキャップ部材に移動して、その培地等がキャップ部材を管状部材から取り外したときに外部へ漏れ出すことを防止するとともに、キャップ部材に対し採便棒を機械を用いることなく容易に組み付けることができるようにして、製造コストを低減することにある。
【課題を解決するための手段】
【０００７】
上記課題を解決するために、請求項１記載の本発明の検便用採便具は、一端を開口し、その内部に培地若しくは保存液を収納して保持しうる管状部材と、上記管状部材の開口部を開閉しうるように上記管状部材に着脱自在に形成されたキャップ部材と、上記キャップ部材を上記管状部材に係合した状態で上記管状部材の内部に挿入すると共に、上記キャップ部材を上記管状部材から取り外した状態で上記管状部材から抜脱しうるように上記キャップ部材に固定された採便棒とからなる検便用採便具において、
上記キャップ部材を上記管状部材に係合した状態で、上記管状部材の開口部を閉じうる閉止部が上記採便棒に設けられたことを特徴とするものである。
【０００８】
即ち、本発明に係る検便用採便具にあっては、上記キャップ部材を上記管状部材に係合した状態で、上記採便棒に設けた閉止部が上記管状部材の開口部を閉じることから、上記管状部材の内部に収納された培地等が管状部材の外部へ漏出しない。
【０００９】
また、請求項２記載の本発明の検便用採便具は、上記閉止部がフランジ部として上記採便棒に一体成形され、上記採便棒を上記管状部材に挿入した状態で、その周縁部を上記管状部材の内面部に密着するように形成されていることを特徴とする。
【００１０】
即ち、本発明に係る検便用採便具にあっては、採便棒にフランジ部として形成された閉止部の周縁部が上記管状部材の内面部に密着することにより管状部材の開口部を閉じることができる。
【００１１】
また、請求項３記載の本発明の検便用採便具にあっては、上記閉止部の周縁部は、上記管状部材に対する挿入方向の角部が曲面状に形成され、反挿入方向の角部が鋭角状に形成されていることを特徴とする。
【００１２】
即ち、本発明に係る検便用採便具にあっては、上記閉止部が管状部材の開口部を閉じるために、管状部材の内部へ挿入する場合に、その周縁部における挿入方向の角部が曲面状に形成されていることから、管状部材の内面部に引っ掛かることなくスムースに挿入することができる。
【００１３】
また、請求項４記載の本発明の検便用採便具にあっては、上記採便棒は先端に被検査物採取部が設けられると共に、基端部が上記キャップ部材の内部に挿入されて係止されることにより固定されていることを特徴とする。
【００１４】
即ち、本発明に係る検便用採便具にあっては、上記キャップ部材の基端部をキャップ部材に対し固定する場合に、両者を固着する必要がなく、単に係止させればよい。
【００１５】
また、請求項５記載の本発明の検便用採便具は、上記採便棒及び上記キャップ部材はプラスチックにより成形され、上記採便棒は基端に係止用フランジ部が形成されるとともに、上記キャップ部材は内面部に周方向の突条部が形成され、上記係止用フランジ部は上記採便棒の基端部を上記キャップ部材の内部に押し入れたときに弾性変形により上記突条部を乗り越えて係止されることを特徴とする。
【００１６】
即ち、本発明に係る検便用採便具にあっては、採便棒に形成された上記係止用フランジ部が、キャップ部材の内面部に形成された突条部に係止されて、採便棒がキャップ部材内部に固定されることになる。
【００１７】
また、請求項６記載の本発明の検便用採便具にあっては、上記係止用フランジ部の周縁部は、上記キャップ部材に対する挿入方向の角部が曲面状に形成されると共に、反挿入方向の角部が略直角に形成されていることを特徴とする。
【００１８】
即ち、本発明に係る検便用採便具は、採便棒の係止用フランジ部をキャップ部材の内部へ挿入して固定する場合に、上記係止用フランジ部の曲面状の角部が容易に上記突条部を乗り越えることができることから、その挿入をスムースに行うことができる。
【００１９】
また、請求項７記載の本発明の検便用採便具は、上記採便棒は、上記係止用フランジ部と上記閉止部との間に中間フランジ部が設けられ、上記中間フランジ部は、その外周面部を上記キャップ部材の内面部に当接しうるように形成されていることを特徴とする。
【００２０】
即ち、本発明に係る検便用採便具にあっては、上記中間フランジ部の外周面部が上記キャップ部材の内面部に当接することによって、上記採便棒はキャップ部材の径方向中心部に傾斜しないように位置することができる。
【発明の効果】
【００２１】
請求項１記載の本発明の検便用採便具は、上記キャップ部材を上記管状部材に係合した状態で、上記採便棒に設けた閉止部が上記管状部材の開口部を閉じて、培地等が管状部材の外部へ漏れ出さないことから、例えば、移送中の振動等によっても培地等がキャップ部材の内部へ入り込むことがない。従って、キャップ部材を管状部材から取り外して、管状部材の開口部を開いたときに、キャップ部材の内部に入り込んだ培地等が垂れ落ちて検査者の衣服を汚す等の不具合がなくなる。
【００２２】
また、請求項２記載の本発明の検便用採便具は、採便棒にフランジ部として形成された閉止部の周縁部が上記管状部材の内面部に密着することにより管状部材の開口部を閉じることができることから、管状部材の開口部を閉じるため別途栓などを用いる必要がなく、部品点数を増加させることなく培地又は保存液の漏出を効果的に防止することができる。
また、上記採便棒を管状部材に挿入すれば、その結果として、管状部材の開口部が上記閉止部により閉じられることになるので、管状部材の開口部に特に栓をするという意識を常に持たなくてもすむ。従って、管状部材の開口部を閉じ忘れるということがなく、管状部材からの培地等の漏出を確実に防止することができる。
【００２３】
また、請求項３記載の本発明の検便用採便具は、上記管状部材の開口部を閉じるために、上記採便棒の閉止部を管状部材の内部へ挿入する場合に、その周縁部における挿入方向の角部が曲面状に形成されていて、挿入時に管状部材の内面部に引っ掛かることなくスムースに挿入できることから、上記閉止部により上記開口部が確実に閉じられることになり、その結果、上記管状部材からの培地等の漏出を確実に防止することができる。
【００２４】
また、請求項４記載の本発明の検便用採便具は、上記採便棒の基端部が上記キャップ部材の内部に挿入されて係止されることにより固定されることから、両者を固着する必要がなく、単に係止させるだけでよいので、上記キャップ部材に対する上記採便棒の組み付けが容易で、製造コストを低減することができる。
【００２５】
また、請求項５記載の本発明の検便用採便具は、上記採便棒の基端部を上記キャップ部材の内部に押し入れたときに、上記採便棒の基端に形成された係止用フランジ部が弾性変形して上記キャップ部材の内面部に形成された突条部を乗り越えて係止されることにより採便棒がキャップ部材内部に固定されることから、上記採便棒を組み付ける場合にキャップ部材の内部へ押し入れるだけでよく、その作業は機械を用いることなく人手により簡単に行うことができるので、製造コストを低減することができる。
【００２６】
また、請求項６記載の本発明の検便用採便具にあっては、上記採便棒の基端部に形成された係止用フランジ部の周縁部は、上記キャップ部材に対する挿入方向の角部が曲面状に形成されていて、採便棒の係止用フランジ部をキャップ部材の内部へ押し入れて固定する場合に、上記係止用フランジ部の曲面状の角部が容易に上記突条部を乗り越えることができることから、その挿入工程が容易で人手により簡単に行うことができる。従って、その結果、製造コストを低減することができる。
また、一旦、上記係止用フランジ部を上記突条部の内側に挿入した状態では、上記係止用フランジ部の略直角に形成された角部が上記突条部に係止され、その略直角に形成された角部は上記突条部を逆方向に乗り越えることが困難なので、上記採便棒がキャップ部材から安易に外れるのを防止することができる。
【００２７】
また、請求項７記載の本発明の検便用採便具は、上記採便棒における上記係止用フランジ部と上記閉止部との間に形成された中間フランジ部の外周面部が上記キャップ部材の内面部に当接することにより、上記採便棒はキャップ部材の径方向中心部に傾斜しないように安定的に位置することができる。従って、上記採便棒を真直ぐに管状部材の内部へ挿入したり引き抜くことができる。その結果、採便棒の先端に設けた被検査物採取部に付着した被検査物が管状部材の内面部に接触して、管状部材の内面部が被検査物により汚れるのを防止することができる。
【発明を実施するための最良の形態】
【００２８】
以下、図面を用いて本発明の実施の形態について説明する。
まず、本実施形態に係る検便用採便具１は、図１〜図３に示すように、一端を開口し、その内部に培地２若しくは保存液を収納して保持しうる管状部材３と、上記管状部材３の開口部４を開閉しうるように上記管状部材３に着脱自在に形成されたキャップ部材５と、上記キャップ部材５を上記管状部材３に係合した状態で上記管状部材３の内部に挿入すると共に、上記キャップ部材５を上記管状部材３から取り外した状態で上記管状部材３から抜脱しうるように上記キャップ部材５に固定された採便棒６とからなり、上記キャップ部材５を上記管状部材３に係合した状態で、上記管状部材３の開口部４を閉じうる閉止部７が上記採便棒６に設けられている。
また、図１〜図３に示すように、上記閉止部７はフランジ部８として上記採便棒６に一体成形され、図１に示すように、上記採便棒６を上記管状部材３に挿入した状態で、その周縁部を上記管状部材３の内面部に密着するように形成されている。
また、上記閉止部７の周縁部は、図１〜図３に示すように、上記管状部材３に対する挿入方向の角部９が曲面状に形成され、反挿入方向の角部１０が鋭角状に形成されている。
また、上記採便棒６は、図１〜図３に示すように、先端に被検査物採取部１１が設けられると共に、基端部が上記キャップ部材５の内部に挿入されて係止されることにより固定されている。
また、上記採便棒６及び上記キャップ部材５はプラスチックにより成形され、図１及び図２に示すように、上記採便棒６は基端に係止用フランジ部１２が形成されるとともに、上記キャップ部材５は内面部に周方向の突条部１３が形成され、上記係止用フランジ部１２は上記採便棒６の基端部を上記キャップ部材５の内部に押し入れたときに弾性変形により上記突条部１３を乗り越えて係止されるように形成されている。
また、図１〜図３に示すように、上記係止用フランジ部１２の周縁部は、上記キャップ部材５に対する挿入方向の角部１４が曲面状に形成されると共に、反挿入方向の角部１５が略直角に形成されている。
また、図１〜図３に示すように、上記採便棒６は、上記係止用フランジ部１２と上記閉止部７との間に中間フランジ部１６が設けられ、上記中間フランジ部１６は、図１に示すように、その外周面部２７を上記キャップ部材５の内面部に当接しうるように形成されている。
【実施例１】
【００２９】
図は、本発明実施例に係る検便用採便具１を示したものである。
上記検便用採便具１は、図３に示すように、管状部材３と、キャップ部材５と、採便棒６とにより構成されている。
【００３０】
上記管状部材３はプラスチックを素材として、図１及び図２に示すように、上端が開口すると共に、下端が曲面状の底部１７により閉じられた有底筒状に形成されている。
【００３１】
上記管状部材３は、図１及び図２に示すように、その内部にキャリブレア培地２やグリセリン保存液等を収納しうるように形成されている。
【００３２】
上記キャップ部材５は同じくプラスチック素材を用いて、図１及び図２に示すように、下端を開口すると共に、上端を天板部１８で閉じた円筒状に形成されている。
【００３３】
、
上記キャップ部材５は、図１及び図２に示すように、その開口した下端部を、上記管状部材３の開口した上端部に着脱しうるように形成されている。
即ち、上記管状部材３の開口した上端部には、キャップ部材５の内部に挿入し、かつ抜脱しうる着脱筒部１９が形成されている。
【００３４】
上記着脱筒部１９は、図２及び図３に示すように、その上端部における片側の側面部に切欠部２０が設けられると共に、下端近傍の外面部に周方向の突条部２１が形成されている。
なお、上記管状部材３における上記着脱筒部１９の下方外面部には、複数の幅広な突条部２９が周方向に沿って形成されている。
【００３５】
上記キャップ部材５における下端開口部２２の近傍における内面部には、図１に示すように、上記着脱筒部１９をキャップ部材５の内部に挿入した状態で、上記突条部２１が係合しうる突条部２３が周方向に形成されている。
【００３６】
即ち、図１に示すように、上記管状部材３の着脱筒部１９を上記キャップ部材５の内部に挿入して、上記突条部２１を上記突条部２３に係合することにより、上記管状部材３と上記キャップ部材５が連結して固定されるように構成されている。
【００３７】
上記採便棒６はプラスチックを素材として成形され、図１〜図３に示すように、上下方向に沿って中心軸部２４が設けられるとともに、その中心軸部２４の下端部に被検査物採取部１１が一体に形成されている。
【００３８】
上記被検査物採取部１１は検査する便を採取するものであって、図１〜図３に示すように、全体が略逆円錐形に形成され、その表面部には、軸方向に沿って縦溝部２５が形成されると共に、周方向に沿って複数の横溝部２６が形成されている。
【００３９】
上記採便棒６における中心軸部２４の上端には、図１〜図３に示すように、上記中心軸部２４に対し直交するように係止用フランジ部１２が一体に形成されている。
【００４０】
上記係止用フランジ部１２は平面形状が円形で、図１〜図３に示すように、その周縁部における上端の角部１４が曲面状に形成されると共に、下端の角部１５は略直角に形成されている。
【００４１】
また、上記採便棒６における上記中心軸部２４の周囲には、上記係止用フランジ部１２の少し下方位置に、図１〜図３に示すように、中間フランジ部１６が一体に形成されている。この中間フランジ部１６は、平面形状が円形で、その周縁部の上端及び下端の角部は略直角に形成されている。
【００４２】
さらに、上記採便棒６における上記中心軸部２４の周囲には、上記中間フランジ部１６の更に下方位置に、図１〜図３に示すように、閉止部７が設けられている。この閉止部７もフランジ部８として上記中心軸部２４に一体に形成されている。
【００４３】
上記閉止部７は、平面形状が円形で、図３に示すように、その周縁部における下端角部９が曲面状に形成されると共に、上端角部１０が鋭角状に形成されている。
【００４４】
上記採便棒６は、図１及び図２に示すように、その上端部を上記キャップ部材５の内部に挿入されて、係止されることによりキャップ部材５に一体に固定されている。
【００４５】
上記キャップ部材５は、図１及び図２に示すように、その内面上端近傍に周方向の突状部１３が形成され、上記採便棒６の上端部を上記キャップ部材５の内部に押し入れたときに、上記採便棒６の上端に形成された上記係止用フランジ部１２が上記突条部１３を弾性変形により乗り越えて係止されることにより固定されている。
【００４６】
また、上記採便棒６の上端部を上記キャップ部材５の内部に挿入した状態では、図１及び図２に示すように、上記中間フランジ部１６の外周面部２７はキャップ部材５の内面部に当接している。これにより、上記採便棒６の上記中心軸部２４は傾斜することなく、中心部に安定的に位置することができる。
【００４７】
また、上記採便棒６の上端部を上記キャップ部材５の内部に挿入した状態では、図１及び図２に示すように、上記閉止部７もキャップ部材５の内部に位置している。この閉止部７は上記突条部２３の少し上方に位置し、その周縁部はキャップ部材５の内面部から少し離れている。
【００４８】
上記採便棒６は、図２に示すように、その上端部を上記キャップ部材５に固定した状態で使用することができる。
【００４９】
上記キャップ部材５はツマミの役割も有しており、このキャップ部材５を指で把持することができる。そのため、上記キャップ部材５の外周面部には、図３に示すように、軸方向に沿って、滑り止め効果を有する多数の凹状の筋３０が形成されている。
【００５０】
上記採便棒６は、その下端部に設けた被検査物採取部１１を便（図示せず）に接触させて便を所要量付着させることにより採取することができる。
【００５１】
そして、図１に示すように、上記のように便を採取した上記採便棒６を上記管状部材３の内部に挿入し、便が付着した上記被検査物採取部１１を上記培地２に浸漬状態とすることができる。
このとき、上記キャップ部材５を管状部材３における上記着脱筒部１９に嵌着させると共に、キャップ部材５の上記突条部２３を着脱筒部１９の上記突条部２１に係合させることにより管状部材３とキャップ部材５とを固定することができる。
なお、上記キャップ部材５を管状部材３における上記着脱筒部１９に嵌着させた状態で、図１に示すように、上記着脱筒部１９の外面部に接触する周方向の突条部２８がキャップ部材５の内面部における上記突条部２３の上方位置に形成されている。
【００５２】
また、上記のように、キャップ部材５を管状部材３に嵌着した状態では、図１に示すように、上記採便棒６に設けられた上記閉止部７が管状部材３の内部に挿入し、上記閉止部７は周縁部を管状部材３の内面部に密着させている。
これにより、管状部材３の開口部４は上記閉止部７により閉じられ、管状部材３の内部に収納された上記培地２が管状部材３から脱出不能となっている。そして、検査を行うまでの間、この状態で保管し、又、検査を行う場所までこの状態で移送することができる。
【００５３】
従って、移送中の振動などで、管状部材３の内部に収納された培地２がキャップ部材５の内部へ移動することはあり得ないので、キャップ部材５を管状部材３から外した際にキャップ部材５から培地２が垂れ落ちて検査者の衣服等を汚すことがない。
【産業上の利用可能性】
【００５４】
本発明は、内部に培地若しくは保存液を収納して保持しうる管状部材と、上記管状部材の開口部を開閉しうるように上記管状部材に着脱自在に形成されたキャップ部材と、上記キャップ部材を上記管状部材に係合した状態で上記管状部材の内部に挿入すると共に、上記キャップ部材を上記管状部材から取り外した状態で上記管状部材から抜脱しうるように上記キャップ部材に固定された採便棒とからなる全ての検便用採便具に適用可能である。
【図面の簡単な説明】
【００５５】
【図１】実施例１に係る検便用採便具の断面図である。
【図２】実施例１に係る検便用採便具のキャップ部材及び採便棒を管状部材から抜き出した状態を示す断面図である。
【図３】実施例１に係る検便用採便具の分解側面図である。
【符号の説明】
【００５６】
１    検便用採便具
２    培地
３    管状部材
４    開口部
５    キャップ部材
６    採便棒
７    閉止部
８    フランジ部
９    角部
１０    角部
１１    被検査物採取部
１２    係止用フランジ部
１３    突条部
１４    角部
１５    角部
１６    中間フランジ部
１７    底部
１８    天板部
１９    着脱筒部
２０    切欠部
２１    突条部
２２    開口部
２３    突条部
２４    中心軸部
２５    縦溝部
２６    横溝部
２７    外周面部
２８    突条部
２９    突条部
３０    筋
【図１】
2005156187.tif 000003
【図２】
2005156187.tif 000004
【図３】
2005156187.tif 000005